(57)【特許請求の範囲】
【請求項１】
フラットカードまたはローラカードのローラおよびシリンダの少なくとも一方用の鋸歯全鋼の針布であって、細長い脚部領域と該脚部領域に隣接する歯領域とを有し、該歯領域には、歯背部と２つの側面を切断することによって、歯前部を有する歯が形成されており、互いに順に配置された２つの前記歯の前記歯背部と前記歯前部との間に凹部が設けられ、前記歯は少なくとも２つの部分からなり、歯先端の所に位置していて正の作用角を有する第１の部分と、該第１の部分から前記脚部領域まで延びる第２の部分とを有する針布において、
前記歯前部（５）の前記第１の部分（５1）は前記針布（１）の移動方向（Ａ）に凸に湾曲すると共に、前記歯前部の前記第２の部分は、前記針布の移動方向（Ａ）に凹に湾曲していることを特徴とする針布。
【請求項２】
前記第１の部分と前記第２の部分とが円滑に接続されている、請求項１に記載の針布。
【請求項３】
前記第１の部分は弓形である、請求項１または２に記載の鋸歯全鋼の針布。
【請求項４】
前記第１の部分は前記第２の部分へと次第に移行している、請求項１から３のいずれか１項に記載の鋸歯全鋼の針布。
【請求項５】
磨耗によって引き起こされる前記作用角の低下が低減される、請求項１から４のいずれか１項に記載の鋸歯全鋼の針布。
【請求項６】
磨耗によって引き起こされる前記作用角の低下が同一に保たれる、請求項１から４のいずれか１項に記載の鋸歯全鋼の針布。
【請求項７】
前記作用角の低下または保持が、前記針布を鋭くし直した時に有効になる、請求項１から４のいずれか１項に記載の鋸歯全鋼の針布。
【請求項８】
ローラまたはシリンダ上に取り付けられた鋸歯針布が、請求項１から７のいずれか１項にしたがって構成されていることを特徴とするフラットカードまたはローラカード。
【発明の詳細な説明】
【技術分野】
【０００１】
本発明は、フラットカードまたはローラカードのローラおよび／またはシリンダ用の鋸歯全鋼針布であって、細長い脚部領域（脚部）とそれに隣接する歯領域（ブレード）とを有し、歯領域（ブレード）には、歯背部と２つの側面を切断することによって、歯前部を有する歯が形成されており、互いに順に配置された２つの歯の歯背部と歯前部との間に凹部が設けられ、歯は少なくとも２つの部分からなり、歯先端の所に位置する第１の部分が正の、または少なくとも垂直な作用角（正面角）を有し、歯先端と、第１の部分と第２の部分との間の移行領域との間の部分が技術的有効領域を形成している鋸歯全鋼針布に関する。
【背景技術】
【０００２】
フラットカードまたはローラカードのシリンダ針布は製造工程によって磨耗していく。元々は鋭い先端は丸められていき、歯の前側の部分は摩損される。歯前部の磨耗は、頂部に向かい、歯先端に向かう方向にいくほど激しくなり、その結果、垂直方向に対する歯の前側の角度（前部角）は継続的に小さくなっていく。針布を鋭くし直すことによって針布の元々の機能性を回復させることが試みられている。その結果は、良くても、針布の先端が元通り鋭くなるだけである。前部の角度の低下、および丸められた歯側面はそのままとされ、それによって、機能性が継続的に損なわれていき、その結果、製造される繊維材料の品質が低下する。
公知の針布（特許文献１）の場合、歯前部の第１の領域は直線の形状になっている。鋭くし直した後、歯は、機能性の大幅な低下を示す。
【０００３】
【特許文献１】欧州特許出願公開第１６５７３２８号明細書
【発明の開示】
【発明が解決しようとする課題】
【０００４】
本発明は、既述の不利を回避し、特に、耐用年数にわたって高いレベルの機能性を維持する、冒頭に記載する種類の鋸歯全鋼針布を提供するという課題に基づくものである。
【課題を解決するための手段】
【０００５】
既述の課題は、請求項１の特徴とする構成によって解決される。
【０００６】
歯前部の第１の部分が、針布の移動方向に凸またはほぼ凸なので、磨耗によって引き起こされる前部角の低下が低減され、または同一に保たれ、または拡大されさえする。その結果、鋭くし直されていない丸まった歯側面、および磨耗によって引き起こされる前部角αの低下によって生じさせられる機能性の低下を軽減し、または埋め合わせることができる。したがって、製造される製品の品質が変動させられるのが抑制される。
【０００７】
それは、シリンダおよびローラカード針布で普通である、歯を鋭くし直すことの結果として起こる。その措置では、歯先端は、鋭い作用縁が先端の所に元通り形成されるまで、頂部から研磨される。針布が研磨されると常に生じる高さの低下によって、歯前部の、結果として生じる歯先端は、常に少し下方に移動させられる。本発明の場合、歯の特別な形状のため、原理的に、前部角の増加という結果になる。したがって、シリンダおよびローラカード針布で通常磨耗によって引き起こされる正面角の低下が軽減され、または発生しない。
【０００８】
請求項２から８は本発明の有利な発展態様を含んでいる。
【発明を実施するための最良の形態】
【０００９】
以下、図面に示す例示的な実施形態を参照して本発明をより詳細に説明する。
【００１０】
図１ａ，１ｂは、本発明による鋸歯ワイヤ１を示す側面図と断面図であり、鋸歯ワイヤ１は、一体になった細長い脚領域（脚部２）と、それに隣接するブレード領域（ブレード３）とからなっている。歯背部６と２つの側面７a，７ｂ（図１ｂ参照）を切断することによってブレード３に、歯前部５を有する歯４が形成されている。互いに順に配置された２つの歯４の歯背部６と歯正面５の間には、凹部８がそれぞれ設けられている。歯４、すなわち歯正面５は２つの部分からなっており、歯先端９の所に位置する第１の部分５1は正の作用角αを有している。作用角α（前部角）は、凸に湾曲した第１の部分５1の歯先端９の所での接線と、ワイヤの底（歯４の脚部２の下面）に対して垂直な軸線との間の角度である。歯先端９と、歯正面５（歯前部）の第１の部分５1と第２の部分５2との間の移行領域との間の部分は技術的有効領域を形成している。歯前部５の第１の部分５1は、針布１の移動方向に凸に湾曲している。歯前部５の第２の部分５2は凹に湾曲している。
【００１１】
以下は図１ｂに示されている。
【表１】
0005384926.tif 000002
【００１２】
ｈ6はブレードの高さを示しており、差ｈ1−ｈ2から得られる。ｂ4は、凹部８の切り込みの最も奥の点でのブレードの幅を示している。
【００１３】
図２ａは、新しい状態の、凸状に湾曲した第１の部分５1と第２の部分５2の一部を有する、歯前部５の部分図である。
【００１４】
フラットカードまたはローラカードの針布１は、製造工程によってある程度の磨耗を受ける。元々は鋭い先端９（図１ａ）は丸められていき、歯４の側面７ａ，７ｂは丸められていき、歯５の前側の部分は継続的に摩損される。歯前部５の磨耗は、頂部に向かい、歯先端９の方向にいくほど激しくなり、その結果、前部の角度αは、針布１の全耐用年数にわたって継続的に小さくなっていく。
【００１５】
本発明による針布１を鋭くし直すことによって、針布１の元々の機能性が回復する。図２ｂでは、図２ａによる元々の外形が鎖線によって示されており、研ぎ直された針布１の外形が実線によって示されている。図２ａでの作用角α1は、図２ｂでの作用角α2よりも小さい。
【００１６】
図２ａにおいて、Ｒは第１の部分５1の曲率半径を示している。
【図面の簡単な説明】
【００１７】
【図１ａ】本発明による鋸歯全鋼針布の模式的な側面図である。
【図１ｂ】本発明による鋸歯全鋼針布の模式的な断面図である。
【図２ａ】新しい状態の、凸に湾曲した第１の部分と第２の部分の一部を示す、歯前部の部分図である。
【図２ｂ】鋭くし直した後の、凸に湾曲した第１の部分と第２の部分の一部を示す、図２ａに対応する歯の部分図である。
【符号の説明】
【００１８】
１    針布
４    歯
５    歯前部
【図１ａ】
0005384926.tif 000003
【図１ｂ】
0005384926.tif 000004
【図２ａ】
0005384926.tif 000005
【図２ｂ】
0005384926.tif 000006